(57)【要約】【課題】複数の検針メータの電力量を高精度に検針することができる検針システムを提供することを提供すること。【解決手段】前記検針メータに取り付けられ、タグ識別子を記憶するＲＦタグ４と、前記電力量のデータを受け付ける操作部２６を有する検針端末２と、前記ＲＦタグ４から送信されたタグ識別子を受信して、当該タグ識別子を前記検針端末２に送信するタグリーダ３とを備え、前記検針端末２は、前記検針メータごとに設定された電力量付帯情報を、前記タグ識別子と対応付けてあらかじめ記憶する記憶手段２４と、前記タグリーダ３から送信されたタグ識別子を受信して、当該タグ識別子に基づいて、前記記憶手段２４に記憶された電力量付帯情報を読み出し、前記操作部２６によって入力された電力量を、読み出した前記電力量付帯情報と対応付けて記憶する入力制御手段２１とを備えることを特徴とする。【選択図】図１
2009134654.tif 000002
【特許請求の範囲】
【請求項１】
複数の検針メータの電力量を検針する検針システムであって、
前記検針メータに取り付けられ、タグ識別子を記憶するＲＦタグと、
前記電力量のデータを受け付ける操作部を有する検針端末と、
前記ＲＦタグから送信されたタグ識別子を受信して、当該タグ識別子を前記検針端末に送信するタグリーダとを備え、
前記検針端末は、
前記検針メータごとに設定された、前記電力量のデータに関する付帯情報を示す電力量付帯情報を、前記タグ識別子と対応付けてあらかじめ記憶する記憶手段と、
前記タグリーダから送信されたタグ識別子を受信して、当該タグ識別子に基づいて、前記記憶手段に記憶された電力量付帯情報を抽出し、前記操作部によって入力された電力量を、抽出した前記電力量付帯情報と対応付けて記憶する入力制御手段と
を備えることを特徴とする検針システム。
【請求項２】
前記電力量付帯情報は、前年同月の電力量を示す前年同月情報、又は前月の電力量を示す前月情報を含み、
前記検針端末は、
前記入力部によって入力された電力量が、前記前年同月情報に対してあらかじめ決められた範囲の外にある場合、又は、前記前月情報よりも小さい場合の少なくともいずれか一方の場合に、警告を発する警告手段を備えることを特徴とする請求項１に記載の検針システム。
【請求項３】
前記検針端末は、
前記電力量付帯情報と前記タグ識別子とが対応付けられて前記記憶手段に記憶されているか否かを判定する判定手段と、
前記判定手段の判定結果に応じて、それぞれ前記電力量付帯情報を異なる表示にする表示制御手段とを備えることを特徴とする請求項１又は請求項２に記載の検針システム。
【請求項４】
前記検針端末は、
前記電力量付帯情報と前記タグ識別子とが対応付けられていない場合に、受信した前記タグ識別子と、前記電力量付帯情報とを対応付けて前記記憶手段に記憶する記憶制御手段を備えることを特徴とする請求項１から請求項３のいずれか一項に記載の検針システム。
【発明の詳細な説明】
【技術分野】
【０００１】
本発明は、検針メータの電力量を検針する検針システムに関する。
【背景技術】
【０００２】
今日、例えば各駅構内の売店など複数の箇所に、その売店などで使用された電力量を示す検針メータが設置されている。
従来、これら検針メータの電力量を検針する種々の検針システムが提案されている（例えば、特許文献１参照。）。
これら検針システムとしては、検針員が、検針メータの電力量から使用量を計算して、当該使用量や電力量などを書き取り、営業所に戻ってから、書き取った電力量などをＰＣ（Personal  Computer）などに入力するものが知られている。そして、ＰＣが各種集計処理を行うようになっている。
【０００３】
ここで、上記のように検針員がＰＣに入力するものでは、検針員が、読み取った検針メータの電力量を手書きにより用紙に記載するので、転記ミスや計算間違いが生じ易くなってしまい、正確な検針ができない。
そこで、検針員が、操作部を操作して携帯端末などに電力量を入力することにより、使用量などを携帯端末に計算させるようにすることが考えられる。
【特許文献１】特開２００２−１６８８８１号公報
【発明の開示】
【発明が解決しようとする課題】
【０００４】
しかしながら、携帯端末に計算させることによって計算間違いなどは減少するものの、複数の検針メータを検針していく場合、検針対象とする検針メータの識別情報と、検針員が入力する電力量との対応付けの際に人為的なミスが生じることが考えられる。すなわち、所定の検針メータの識別情報に対応するように、検針員が電力量を入力する必要があるにもかかわらず、異なった識別情報に対応させて電力量を入力してしまうおそれがある。この場合、検針メータの識別情報と検針データとの不一致が生じてしまい、検針メータごとの正確な検針ができなくなってしまうという問題がある。
【０００５】
本発明は、このような事情に鑑みてなされたものであって、複数の検針メータの電力量を精度よく検針することができる検針システムを提供することを目的とする。
【課題を解決するための手段】
【０００６】
上記課題を解決するために、本発明は以下の手段を提供する。
本発明は、複数の検針メータの電力量を検針する検針システムであって、前記検針メータに取り付けられ、タグ識別子を記憶するＲＦタグと、前記電力量のデータを受け付ける操作部を有する検針端末と、前記ＲＦタグから送信されたタグ識別子を受信して、当該タグ識別子を前記検針端末に送信するタグリーダとを備え、前記検針端末は、前記検針メータごとに設定された、前記電力量のデータに関する付帯情報を示す電力量付帯情報を、前記タグ識別子と対応付けてあらかじめ記憶する記憶手段と、前記タグリーダから送信されたタグ識別子を受信して、当該タグ識別子に基づいて、前記記憶手段に記憶された電力量付帯情報を抽出し、前記操作部によって入力された電力量を、抽出した前記電力量付帯情報と対応付けて記憶する入力制御手段とを備えることを特徴とする検針システム。
【０００７】
この発明においては、ＲＦタグから送信されたタグ識別子をタグリーダが受信し、当該タグ識別子を検針端末に送信する。検針端末は、そのタグ識別子を受信する。そして、入力制御手段は、受信したタグ識別子に対応する電力量付帯情報を記憶手段から抽出し、電力量のデータと電力量付帯情報とを対応付けて記憶手段に記憶する。
これにより、所定の検針メータと、この検針メータに対応する電力量のデータとが不一致の状態で、電力量のデータが記憶されることを防止することができる。すなわち、所定の検針メータに対応させて、電力量のデータを正確に記憶することができる。
【０００８】
また、本発明は、前記電力量付帯情報が、前年同月の電力量を示す前年同月情報、又は前月の電力量を示す前月情報を含み、前記検針端末は、前記入力部によって入力された電力量が、前記前年同月情報に対してあらかじめ決められた範囲の外にある場合、又は、前記前月情報よりも小さい場合の少なくともいずれか一方の場合に、警告を発する警告手段を備えることを特徴とする。
【０００９】
この発明によれば、電力量のデータ入力時に、警告手段が警告を発することから、誤った電力量のデータを入力する際に、検針員に注意を喚起することができる。そのため、電力量のデータの入力を精度よく行うことができる。
【００１０】
また、本発明は、前記検針端末が、前記電力量付帯情報と前記タグ識別子とが対応付けられて前記記憶手段に記憶されているか否かを判定する判定手段と、前記判定手段の判定結果に応じて、それぞれ前記電力量付帯情報を異なる表示にする表示制御手段とを備えることを特徴とする。
【００１１】
この発明によれば、表示制御手段が、電力量付帯情報とタグ識別子との対応の有無に応じて、電力量付帯情報を異なる表示にすることから、電力量付帯情報とタグ識別子とが未対応であることを検針員に知らしめることができ、電力量のデータの入力を精度よく行うことができる。
【００１２】
また、本発明は、前記検針端末が、前記電力量付帯情報と前記タグ識別子とが対応付けられていない場合に、受信した前記タグ識別子と、前記電力量付帯情報とを対応付けて前記記憶手段に記憶する記憶制御手段を備えることを特徴とする。
【００１３】
この発明によれば、タグリーダから受信したタグ識別子に基づいて、人為的な操作を行うことなく自動的に対応付けを行うことができることから、タグ識別子と電力量付帯情報とを高精度に対応付けすることができる。
【発明の効果】
【００１４】
本発明によれば、所定の検針メータに対応させて、電力量のデータを正確に記憶することができることから、複数の検針メータの電力量を精度よく検針することができる。
【発明を実施するための最良の形態】
【００１５】
（実施形態１）
以下、本発明の第１の実施形態における検針システムについて、図面を参照して説明する。
図１は、本発明の第１の実施形態としての検針システムを示したものである。
検針システム１は、タグ識別ＩＤ（タグ識別子）を送信する複数のＲＦタグ４と、このＲＦタグ４のタグ識別ＩＤを受信するタグリーダ３と、このタグリーダ３からタグ識別ＩＤを受信する検針端末２と、この検針端末２に着脱可能に接続されるＰＣ５とを備えている。
【００１６】
ＲＦタグ４は、駅の売店や精算所など電力を必要とする施設や機器の近傍に設置された電力量の検針メータに設けられるものである。
ＲＦタグ４は、それぞれの検針メータに対応させて全体として複数設けられるが、その構成は同一であるので、ここでは代表的なものを一つ例に挙げて説明する。
ＲＦタグ４は、装置全体の動作を制御するタグ制御部４１を備えている。
タグ制御部４１は、タグ記憶部４２及び送受信部４３に接続されている。
タグ記憶部４２には、複数のＲＦタグ４ごとに固有に設定されたタグ識別ＩＤがあらかじめ記憶されている。
そして、タグ制御部４１は、タグリーダ３から送信されたタグ識別ＩＤの送信要求を、送受信部４３を介して受信すると、タグ記憶部４２に記憶されたタグ識別ＩＤを読み出して、当該タグ識別ＩＤを、送受信部４３を介してタグリーダ３に送信する。
【００１７】
タグリーダ３は、検針員によって携行されるものである。
このタグリーダ３は、装置全体の動作を制御するリーダ制御部３１を備えている。
リーダ制御部３１は、送受信部３２と、操作ボタンからなるリーダ操作部３３に接続されている。
リーダ操作部３３は、操作者により操作ボタンが押下されると、操作ボタンに応じた操作信号をリーダ制御部３１に出力する。
リーダ制御部３１は、操作信号が入力されると、送受信部３２を介してタグ識別ＩＤの送信要求をＲＦタグ４に送信し、また、ＲＦタグ４から送信されたタグ識別ＩＤを、送受信部３２を介して受信する。さらに、リーダ制御部３１は、受信したタグ識別ＩＤを、送受信部３２を介して検針端末２に送信する。
【００１８】
ＰＣ５は、各営業所などに設置されるものである。
このＰＣ５は、装置全体の動作を制御するＰＣ制御部５１を備えている。
ＰＣ制御部５１は、後述する種々の情報を記憶するＰＣ記憶部５２に接続されている。
ＰＣ記憶部５２には、例えば、タグ識別ＩＤと対応付けられた電力量付帯情報が記憶されている。なお、電力量付帯情報の詳細については、後述するものとする。
【００１９】
検針端末２は、検針員によって携行されるものである。
この検針端末２は、装置全体の動作を制御する端末制御部（入力制御手段、警告手段、判定手段、表示制御手段、記憶制御手段）２１を備えている。
端末制御部２１は、各種情報を表示する表示部（警告手段）２２と、ＰＣ５と接続するためのＩ／Ｏ部２３と、各種情報が記憶される端末記憶部（記憶手段）２４とを備えている。また、端末制御部２１は、タグリーダ３と通信を行うための受信部２５と、各種操作を行うための端末操作部（操作部）２６とを備えている。
【００２０】
表示部２２は、例えば液晶表示部などからなり、端末制御部２１の指示により、電力量付帯情報を表示する。
また、端末操作部２６は、例えば表示部２２に表示されるタッチパネルからなるものであり、検針員からの電力量のデータを受け付ける。
Ｉ／Ｏ部２３は、例えばＵＳＢなどの接続部からなるものであり、検針端末２とＰＣ５との間を通信可能に接続する。
端末記憶部２４は、端末制御部２１の指示のもと、ＰＣ５から出力された電力量付帯情報や、端末操作部２６から出力された電力量のデータを記憶する。
受信部２５は、端末制御部２１の指示のもと、タグリーダ３から送信されたタグ識別ＩＤを受信する。
端末制御部２１は、端末操作部２６から出力された電力量のデータを、電力量付帯情報と対応付けて端末記憶部２４に記憶する。
【００２１】
次に、このように構成された本実施形態における検針システム１の動作について説明する。
検針の前に、ＰＣ５に種々の設定登録を行い、また検針端末２に電力量付帯情報をダウンロードする必要がある。
図２は、ＰＣ５の起動時のメニュー画面を示す説明図である。
最初に、検針の前の事前の設定登録について説明する。
操作者が、マウスを操作して、「線区・駅の登録」ボタン５ａをクリックすると、ＰＣ制御部５１は、図３に示すように、線区や駅を選択して入力することにより線区・駅を登録する登録画面を表示する。そして、操作者が、線区や駅を選択して「追加変更」や「削除」ボタンなどをクリックすることにより、ＰＣ制御部５１は、その指示に応じて、線区や駅を追加又は削除する。
【００２２】
また、図２において、操作者が、「電力量計マスター」ボタン５ｂをクリックすると、ＰＣ制御部５１は、図４に示すように、電力量計マスターリストを表示する。そして、操作者が、線区や駅をプルダウンメニューによって選択すると、ＰＣ制御部５１は、当該駅に登録されている登録内容を表示する。さらに、操作者が、「追加・変更」ボタンをクリックすると、ＰＣ制御部５１は、図５に示すように、電力量計マスター入力画面を表示する。この画面において、マウスのクリックやキーボードの押下などの操作者の操作により、検針メータに固有の識別ＩＤである「メータＮｏ．」、「駅名」、電力を利用する会社の「会社名」、検針メータの「設置場所」、「負荷名」、メータの値に対する倍率を示す「倍率」、「委託先」などが登録される。
【００２３】
また、図２において、操作者が、「検修責任者マスター」ボタン５ｃをクリックすると、ＰＣ制御部５１は、図６に示すように、検修責任者マスター登録画面を表示する。そして、操作者が、「変更」、「削除」ボタンなどをクリックすることにより、ＰＣ制御部５１は、その指示に応じて、検修責任者の氏名を登録、削除する。
なお、検修責任者の氏名は、最大２０名まで登録することができる。
【００２４】
このように各種設定登録を行った後、検針員は、以下のようにして検針を行う。
まず、検針端末２とＰＣ５とをＵＳＢケーブルによって接続する。そして、両者を接続した状態で、検針員が、図２における「ダウンロード」ボタン５ｈをクリックする。すると、ＰＣ制御部５１は、図７に示すようなダウンロード画面を表示する。そして、検針員が、検針する駅の線区をリストボックスからマウスにより選択し、「開始ボタン」をクリックする。すると、ＰＣ制御部５１は、ＰＣ記憶部５２に記憶された電力量付帯情報を読み出し、この電力量付帯情報を検針端末２に出力する。
なお、電力量付帯情報とは、検針員が電力量のデータを入力する際に必要な付帯的な情報であり、具体的には、図８に示すように、メータＮｏ、場所、駅名、検針状況、対応付け情報、前回メータ値（前月情報）、前年同月電力量（前年同月情報）、検修者氏名、負荷名、委託先など（タグ識別ＩＤを除く）を含むものである。この電力量付帯情報は、メータＮｏをキー（基準）として各情報が対応付けられて構成されている。ただし、後述する対応付け処理が行われていない場合、又は、対応付け処理後のアップロードがなされていない場合には、対応付け処理により得られたタグ識別ＩＤは、登録されていない。そして、後述する対応付け処理により得られたタグ識別ＩＤが検針端末２からアップロードされることにより、タグ識別ＩＤがＰＣ５に送られて、このタグ識別ＩＤと電力量付帯情報とが対応付けられてＰＣ記憶部５２に記憶される。
【００２５】
ＰＣ５から電力量付帯情報が出力されると、端末制御部２１は、Ｉ／Ｏ部２３を介して電力量付帯情報を取得し、この電力量付帯情報を端末記憶部２４に記憶する。
なお、端末制御部２１は、新たな電力量付帯情報を記憶するときには、端末記憶部２４のデータを初期化する。そして、前回データのアップロードがされていない場合には、端末制御部２１は、データを初期化する前に、「アップロードを行ってください。」という警告を表示部２２に表示する。
さて、ダウンロードが完了すると、端末制御部２１は、電力量付帯情報の中から、メータＮｏ、場所、駅名、検針状況の情報を抽出し、画面用の表示データを生成する。そして、図９に示すように、それら情報を表示部２２に一覧表示する。
このとき、端末制御部２１は、対応付けされているか否か、及び、検針されているか否かを判定し、それら判定結果によって、符号ａ，ｂ，ｃに示すように各表示が異るようにする。
【００２６】
具体的には、端末制御部２１は以下のように処理を行う。
図１０は、端末制御部２１が行う対応付け及び検針の表示処理を示すフローチャートである。
端末制御部２１は、電力量付帯情報からメータＮｏ、場所、駅名、検針状況、対応付け情報の各種情報を読み出すと（ステップＳ１０）、対応付け情報に基づいて、タグ識別番号とメータＮｏとの対応付けがなされているか否かを判定する（ステップＳ１１）。すなわち、端末制御部２１は、メータＮｏと対応付けられてタグ識別番号が記憶されているか否かを判定する。端末制御部２１は、タグ識別番号が記憶されている（対応付けがなされている）と判定すると（ステップＳ１１：ＹＥＳ）、検針情報に基づいて、検針が完了しているか否かを判定する（ステップＳ１２）。すなわち、端末制御部２１は、検針状況がオンになっている（図８において「○」）か、オフになっている（図８において「○」）かによって検針の未済を判定する。
端末制御部２１は、検針状況がオンになっている（検針が完了している）と判定すると（ステップＳ１２：ＹＥＳ）、背景なしの通常表示用の表示データを生成する（ステップＳ１３）。
【００２７】
また、端末制御部２１は、ステップＳ１２において、検針状況がオフになっている（検針が完了していない）と判定すると（ステップＳ１２：ＮＯ）、ドットによる網掛け表示用の表示データを生成する（ステップＳ１４）。
また、端末制御部２１は、ステップＳ１１において、タグ識別番号が記憶されていない（対応付けがなされていない）と判定すると（ステップＳ１１：ＮＯ）、斜線による網掛け表示用の表示データを生成する（ステップＳ１５）。
そして、端末制御部２１は、各表示データに基づいて、各種情報を表示部２２に表示して（ステップＳ１６）、処理を終了する。
なお、図９において、符号ａは、通常表示（ステップＳ１３）の領域を示しており、符号ｂは、ドットによる網掛け表示（ステップＳ１４）、符号ｃは、斜線による網掛け表示（ステップＳ１５）の領域を示している。
【００２８】
これによって、検針員は、表示部２２を目視するだけで、検針状況や対応付け状況などを直観的に認識することができる。
さて、対応付けを行うときには、検針員は、ＵＳＢケーブルを取り外し、検針端末２とタグリーダ３とを携行して、該当する検針メータの設置場所に向かう。
そして、その設置場所で、図９に示す画面において、検針員が、当該設置場所に対応する、対応付けされていない「メータＮｏ」をタッチペンによりタッチして選択した後、さらに「ひもつけ」ボタンをタッチして決定する。すると、端末制御部２１は、その指示を読み出して、「タグを読み込んでください。」というメッセージを表示部２２に表示する。
検針員は、表示部２２を目視することにより、そのメッセージを確認し、タグリーダ３によりＲＦタグ４を読み込む。すなわち、図１１に示すように、検針員Ｋは、タグリーダ３を把持して、検針メータＭに設置されたＲＦタグ４に、タグリーダ３の読み出し部をあてがいながら、タグリーダ３の操作ボタンを押下する。すると、リーダ操作部３３の出力信号がリーダ制御部３１に入力され、リーダ制御部３１は、タグ識別ＩＤの送信要求を、送受信部３２を介してＲＦタグ４に送信する。
【００２９】
タグ制御部４１は、タグリーダ３から送信された送信要求を、送受信部４３を介して受信し、タグ記憶部４２からタグ識別ＩＤを読み出して、送受信部４３を介して、当該タグ識別ＩＤをタグリーダ３に送信する。
リーダ制御部３１は、送受信部３２を介して、タグ識別ＩＤを受信し、さらに、送受信部３２を介して、当該タグ識別ＩＤを検針端末２に送信する。
検針員Ｋに把持されて、タグリーダ３の近傍に配された検針端末２の端末制御部２１は、受信部２５を介して、タグリーダ３から出力されたタグ識別ＩＤを受信する。そして、端末制御部２１は、受信したタグ識別ＩＤと対応する電力量付帯情報を端末記憶部２４から読み出し、表示データを生成して、電力量付帯情報を表示部２２に表示する（例えば、図１２参照）。
【００３０】
そして、検針員が、タッチパネルの「保存」ボタンＤ１をタッチすると、端末操作部２６は、対応付け完了信号を端末制御部２１に出力し、端末制御部２１は、メータＮｏに対応付けてタグ識別ＩＤを端末記憶部２４に記憶する。これによって、タグ識別ＩＤとメータＮｏとが対応付けられる。さらに、端末制御部２１は、当該メータＮｏを対応付けすると、表示部２２の表示を、通常表示又はドットによる網掛け表示に切り替える。
【００３１】
さらに、検針を行うときの端末制御部２１の動作を説明する。
図１３は、検針を行うときの端末制御部２１の動作を示すフローチャートである。
検針を行うときには、検針対象とする検針メータの前で、検針員が、図９における「検修」ボタンをタッチすることにより、端末制御部２１は、「タグを読み込んでください。」というメッセージを表示部２２に表示する。
検針員は、上記と同様にして、図１１に示すように、ＲＦタグ４のタグ識別ＩＤをタグリーダ３によって読み込み、リーダ制御部３１は、送受信部３２を介してタグ識別ＩＤを検針端末２に送信する。
端末制御部２１は、タグリーダ３によって送信されたタグ識別ＩＤを、受信部２５を介して受信すると（ステップＳ２０）、端末記憶部２４にアクセスして、図８に示すタグ識別ＩＤに対応する電力量付帯情報を読み出す（ステップＳ２１）。このとき読み出す電力量付帯情報は、メータＮｏ、場所、駅名、前回メータ値、前年同月電力量、検修者情報、負荷名、委託先などである。
【００３２】
そして、端末制御部２１は、読み出した電力量付帯情報から、検針員が検針端末２に電力量を入力するための入力用表示データを生成し、図１２に示すように、電力量付帯情報を表示部２２に表示する（ステップＳ２２）。
なお、電力量付帯情報が表示部２２に表示されると、検針員は、プルダウンメニューをタッチして検修者の氏名を選択・決定する。
さらに、端末制御部２１は、端末操作部２６の出力を読み出し、電力量のデータが入力されたか否かを判定する（ステップＳ２３）。
なお、電力量のデータ入力は以下のようにして行われる。すなわち、検針員が、目視して検針メータの値を読み、その検針メータの値について、タッチパネルの数字操作部２６ａをタッチすることにより、入力値が今回メータ値のボックスＢ１内に表示される。そして、検針員は、検針メータの値とボックスＢ１内に表示された値とが一致することを目視により確認すると、「決定」ボタンＤ２をタッチする。これにより、電力量のデータが入力され、端末操作部２６が電力量データ信号を端末制御部２１に入力する。端末制御部２１は、端末操作部２６から電力量データ信号が入力されたか否かによって、電力量のデータ入力の有無を判定する。
【００３３】
端末制御部２１は、電力量のデータが入力されていないと判定した場合には（ステップＳ２３；ＮＯ）、再度、端末操作部２６の出力を読み出して、ステップＳ２３の処理を繰り返す。
一方、端末制御部２１は、電力量が入力されたと判定した場合には（ステップＳ２３：ＹＥＳ）、端末操作部２６によって入力された電力量のデータが、端末記憶部２４に記憶された前回メータ値よりも大きいか否かを判定する（ステップＳ２４）。前回メータ値とは、前月に行われた検針により端末記憶部２４に記憶された電力量のデータである。
そして、端末制御部２１は、入力された電力量のデータが前回メータ値よりも大きいと判定すると（ステップＳ２４；ＹＥＳ）、入力された電力量のデータが、端末記憶部２４に記憶された前年同月電力量に対して、あらかじめ決められた範囲内にあるか否かを判定する（ステップＳ２５）。前年同月電力量とは、前年同月に行われた検針により端末記憶部２４に記憶された電力量のデータである。
なお、あらかじめ決められた範囲とは、操作者によって設定されて端末記憶部２４に記憶される閾値（コンピュータで読み取り可能なテキストデータ又はバイナリデータなど）のことであり、表示部２２に表示されたタッチパネルによってあらかじめ入力してもよいし、ＰＣ５から入力して、閾値情報として電力量付帯情報に含めて端末記憶部２４に記憶してもよい。ここでは、閾値として、例えば±２０％に設定されているものとする。
【００３４】
端末制御部２１は、入力された電力量のデータが、前年同月電力量に対して、あらかじめ決められた範囲内（±２０％内）にあると判定すると（ステップＳ２５；ＹＥＳ）、入力された電力量のデータから前回メータ値を減算して、今回使用電力量を演算する。そして、端末制御部２１は、演算した今回使用電力量をボックスＢ２内（図１２に示す）に表示する。さらに、端末制御部２１は、入力された電力量のデータ（メータ値及び今回使用電力量）を、電力量付帯情報と対応付けて端末記憶部２４に記憶して処理を終了する（ステップＳ２６）。
一方、ステップＳ２４において、端末制御部２１は、入力された電力量が前回メータ値よりも小さいと判定した場合には（ステップＳ２４；ＮＯ）、表示部２２に警告表示する（ステップＳ２７）。例えば、端末制御部２１は、図１４に示すように、「前回数値メータよりも小さいです。よろしいですか？」と表示する。そして、端末制御部２１は、端末操作部２６の出力を読み出すことにより、検針員によって「ＯＫ」ボタンがタッチされたか否かを判定する（ステップＳ２８）。端末制御部２１は、「ＯＫ」ボタンがタッチされたと判定すると（ステップＳ２８；ＹＥＳ）、ステップＳ２６に進み処理を終了する。また、端末制御部２１は、検針員によって「キャンセル」ボタンがタッチされると（ステップＳ２８；ＮＯ）、そのまま処理を終了する。
【００３５】
また、ステップＳ２５において、端末制御部２１は、入力された電力量が前年同月電力量に対して、あらかじめ決められた範囲外（±２０％外）にあると判定すると（ステップＳ２５；ＮＯ）、表示部２２に警告表示する（ステップＳ２７）。例えば、端末制御部２１は、図１５に示すように、「前年数値との誤差が±２０％以上です。よろしいですか？」と表示して、ステップＳ２８に進み、上記と同様にして処理を終了する。
なお、端末制御部２１は、電力量のデータが入力されたと判定すると、図８に示す電力量付帯情報の検針状況を済み（オン）として、表示部２２の表示を通常表示に切り替える。
【００３６】
このように、複数の検針メータごとに上記の処理を繰り返すことにより、検針メータごとの電力量が電力量付帯情報と対応付けられて端末記憶部２４に記憶される。
そして、検針員は、営業所に戻って、ＰＣ５と検針端末２とをＵＳＢケーブルを介して接続する。図２に示すＰＣ５の画面から、操作者が、「アップロード」ボタン５ｉをマウスでクリックすると、ＰＣ制御部５１は、図１６に示すようなアップロード画面を表示する。そして、操作者が、駅の線区をリストボックスからマウスにより選択し、「開始」ボタンをクリックする。すると、ＰＣ制御部５１は、アップロード指示信号を、Ｉ／Ｏ部２３を介して端末制御部２１に出力する。端末制御部２１は、端末記憶部２４に記憶されたデータをＰＣ５に出力し、ＰＣ制御部５１は、それらデータをＰＣ記憶部５２に記憶する。
なお、同じメータＮｏのデータは、更新して記憶される。したがって、対応付けの状況や検針状況などが更新されてＰＣ記憶部５２に記憶される。
【００３７】
また、図２において、操作者が、「検修データ表示・変更」ボタン５ｄをクリックすると、ＰＣ制御部５１は、図１７に示すように、検修データ表示画面を表示する。検修データは、４月から３月までの１２ヶ月分が表示される。なお、メータ値を変更することができるのは、更新前の今回データのみである。
さらに、１ヵ月分の処理が終了すると、操作者が、図２における「月末更新処理」ボタン５ｅをクリックする。これにより、ＰＣ制御部５１は、ＰＣ記憶部５２に記憶されたデータのバックアップ処理を行う。例えば、ＰＣ記憶部５２に記憶されたデータを、他のＰＣやメディアなどに記憶する。なお、図２における「データバックアップ」ボタン５ｊをクリックすると、任意の時点で、同様のバックアップを行うことができる。
【００３８】
また、図２における「使用電力量リスト」ボタン５ｆ、「客先別電力設備検修票」ボタン５ｇなどをクリックすることにより、ＰＣ制御部５１は、図１８から図２０に示すように、ＰＣ記憶部５２に記憶されたデータに基づいて、各種処理を施してから、リスト表示する。すなわち、ＰＣ制御部５１は、駅名、メータＮｏ、マスターコード、会社名、場所、負荷名、検針日、電力量計読み、使用電力量、需要者、前回メータ値、記事などをＰＣ記憶部５２から読み出して、表示する。
【００３９】
以上より、本実施形態における検針システム１によれば、検針時において、ＲＦタグ４のタグ識別子をタグリーダ３により読み出して検針端末２に送信することにより、検針者は、検針メータと電力量付帯情報との対応付けを意識することなく、検針メータと電力量付帯情報とが一致する情報を把握することができる。
そのため、検針メータと電力量付帯情報とのズレを防止することができ、複数の検針メータの電力量を高精度に検針することができる。
また、電力量の入力時に、前年同月の電力量及び前月の電力量と、今回の電力量とを比較して、所定の場合に警告を発することから、電力量のデータ入力を高精度に行うことができる。
また、対応付けの状況に応じて、電力量付帯情報を異なる表示にすることから、対応付けされていない検針メータを検針員に容易に知らしめることができる。
さらに、ＲＦタグ４のタグ識別子を受信して、そのタグ識別子を、電力量付帯情報と対応付けて記憶することから、タグ識別子と電力量付帯情報とを精度よく対応付けすることができ、そのため、より高精度な電力量の入力を行うことができる。すなわち、駅などに設置する検針メータは、数百から千個前後存在する場合もあり、それら検針メータの撤去や設置が頻繁に行われることもあるが、ＲＦタグ４のタグ識別子を受信して、自動的に対応付けを行うことができることから、タグ識別子と電力量付帯情報とを高精度に対応付けすることができる。
【００４０】
なお、上記実施形態においては、検針端末２が、電力量の入力時に所定の条件のもと、警告を発する警告手段を備えるとしたが、この警告手段はなくてもよい。
また、警告の条件として、前年同月情報及び前月情報を利用するものとしたが、これに限ることはなく、少なくともいずれか一方を利用するものであればよい。
また、検針端末２が、対応付けされているか否かを判定する判定手段を備えるとしたが、この判定手段はなくてもよい。
また、対応付けや検針の状況によって、電力量付帯情報を網掛け表示するとしたが、これに限ることはなく、その表示は適宜変更可能である。例えば、対応付けや検針の状況によって、表示する文字の色や大きさ、太さなどを変えるようにしてもよい。具体的には、検針済みのものを緑色で表示し、対応付けはされているが未検針のものを黒色、対応付けがされていないものを赤色で表示するようにしてもよい。
【００４１】
また、検針端末２が、タグ識別子を電力量付帯情報と対応付けて記憶する記憶制御手段を備えるとしたが、この記憶制御手段はなくてもよい。
また、検針端末２、タグリーダ３、ＲＦタグ４は、複数あってもよい。
また、図１３のステップＳ２４において、端末制御部２１が、入力された電力量のデータが前回メータ値よりも小さいと判定し、ステップＳ２８において、「ＯＫ］ボタンが選択されたと判定すると、ステップＳ２６に進み、電力量付帯情報と電力量のデータとを対応付けて記憶して処理を終了するとしたが、これに限ることはなく、端末制御部２１が、ステップＳ２８において、「ＯＫ］ボタンが選択されたと判定すると、入力された電力量のデータを消去して、再度入力画面を表示するようにしてもよい。これにより、前月よりも小さい値が入力されることを防止することができる。
【００４２】
また、図１０のステップ１１において、端末制御部１１が、対応付けがなされているか否かを判定する際に、タグ識別ＩＤが記憶されているか否かを判定するとしたが、図８に示す対応付け情報のオンオフにより判定してもよい。対応付け情報は、最初はオフとして記憶されており、タグ識別ＩＤが記憶されると端末制御部１１がオンに変更する。
なお、検針とは、検針メータのメータ値を読み、電力使用量を測定することをいい、また、検修とは、設備検査関係工事における電力量計を測定することをいうが、実質的には同一である。
なお、本発明の技術範囲は上記の実施形態に限定されるものではなく、本発明の趣旨を逸脱しない範囲において、種々の変更を加えることが可能である。
【図面の簡単な説明】
【００４３】
【図１】本発明に係る検針システムの第１の実施形態を示す全体構成図である。
【図２】ＰＣにおけるメニュー画面を示す説明図である。
【図３】ＰＣにおける線区・駅の登録画面を示す説明図である。
【図４】ＰＣにおける電力量計マスターリストの表示画面を示す説明図である。
【図５】ＰＣにおける電力量計マスター入力画面を示す説明図である。
【図６】ＰＣにおける検修責任者マスターの登録画面を示す説明図である。
【図７】ＰＣにおけるダウンロード画面を示す説明図である。
【図８】電力量付帯情報の構成を示す説明図である。
【図９】検針端末における対応付けの状況を示す説明図である。
【図１０】端末制御部が行う対応付け及び検針の表示処理を示すフローチャートである。
【図１１】検針員が、タグリーダを利用してＲＦタグのタグ識別子を読み込む様子を示す説明図である。
【図１２】検針端末における電力量の入力画面を示す説明図である。
【図１３】検針を行うときの端末制御部の動作を示すフローチャートである。
【図１４】検針端末における警告表示の画面の一例を示す説明図である。
【図１５】検針端末における警告表示の画面の他の一例を示す説明図である。
【図１６】ＰＣにおけるアップロード画面を示す説明図である。
【図１７】ＰＣにおける検修データの表示画面を示す説明図である。
【図１８】ＰＣにおける使用電力量リスト（１計測）の画面を示す説明図である。
【図１９】ＰＣにおける使用電力量リスト（電灯・動力の合算）の画面を示す説明図である。
【図２０】ＰＣにおける客先別電力設備検修票の画面を示す説明図である。
【符号の説明】
【００４４】
１    検針システム
２    検針端末
３    タグリーダ
４    ＲＦタグ
２１  端末制御部（入力制御手段、警告手段、判定手段、表示制御手段、記憶制御手段）
２２  表示部（警告手段）
２４  端末記憶部（記憶手段）
２６  端末操作部（操作部）
Ｍ    検針メータ
【図１】
2009134654.tif 000003
【図２】
2009134654.tif 000004
【図３】
2009134654.tif 000005
【図４】
2009134654.tif 000006
【図５】
2009134654.tif 000007
【図６】
2009134654.tif 000008
【図７】
2009134654.tif 000009
【図８】
2009134654.tif 000010
【図９】
2009134654.tif 000011
【図１０】
2009134654.tif 000012
【図１１】
2009134654.tif 000013
【図１２】
2009134654.tif 000014
【図１３】
2009134654.tif 000015
【図１４】
2009134654.tif 000016
【図１５】
2009134654.tif 000017
【図１６】
2009134654.tif 000018
【図１７】
2009134654.tif 000019
【図１８】
2009134654.tif 000020
【図１９】
2009134654.tif 000021
【図２０】
2009134654.tif 000022